(57)【要約】【課題】高速回転が可能で、且つ信頼性の高い永久磁石型の回転電機を提供する。【解決手段】実施形態によれば、回転中心に対して垂直な回転子鉄心の断面において、第２の縁は、第１の縁に対して前記回転子鉄心の半径方向外側に位置する。前記第２の縁において前記回転中心側に最も凸となる部分に、外周側中央係止突起が形成される。前記第１の縁の両端部近傍のそれぞれに、内周側係止突起が形成される。前記回転中心に垂直な磁石の断面が、前記回転中心と前記外周側中央係止突起とを結ぶ直線に関して線対称となるように、前記外周側中央係止突起と一端部近傍の前記内周側係止突起との間に磁石を固定可能であり、前記外周側中央係止突起と他端部近傍の前記内周側係止突起との間に磁石を固定可能である。【選択図】図２
2015006124.tif 000002
【特許請求の範囲】
【請求項１】
固定子鉄心及びこの固定子鉄心に取り付けられた電機子巻線を具備する固定子と、
前記固定子に対して回転自在に設けられる回転子鉄心を具備する回転子と
を具備し、
前記回転子鉄心は、磁石を収容可能な内側磁石収容孔と、前記内側磁石収容孔よりも前記回転子鉄心の半径方向外側に磁石を収容可能な外側磁石収容孔が形成され、
前記回転子鉄心の回転中心に対して垂直な前記回転子鉄心の断面における、前記外側磁石収容孔を規定する前記回転中心側の第１の縁、前記第１の縁よりも前記半径方向外側に位置する第２の縁のそれぞれは、前記前記回転中心側に凸となる曲線に形成され、
前記回転中心に対して垂直な前記回転子鉄心の断面における、前記内側磁石収容孔を規定する前記回転中心側の第３の縁、前記第３の縁よりも前記半径方向外側に位置する第４の縁のそれぞれは、前記回転中心側に凸となる曲線に形成され、
前記第２の縁において前記回転中心側に最も凸となる部分に、磁石に接触することによって磁石の位置を規定する、前記第１の縁に向かって突出する外周側中央係止突起が形成され、
前記第１の縁の両端部近傍のそれぞれに、磁石に接触することによって磁石の位置を規定する、前記第２の縁に向かって突出する内周側係止突起が形成され、
前記回転中心に垂直な磁石の断面が、前記回転中心と前記外周側中央係止突起とを結ぶ直線に関して線対称となるように、前記外周側中央係止突起と一端部近傍の前記内周側係止突起との間に磁石を固定可能であり、前記外周側中央係止突起と他端部近傍の前記内周側係止突起との間に磁石を固定可能である
ことを特徴とする回転電機。
【請求項２】
前記外周側中央係止突起と前記一端部近傍の前記内周側係止突起との間に固定される磁石は、前記外周側磁石収容孔の前記第１の縁を含む面に面接触する第１の面と、前記外周側磁石収容孔の前記第２の縁を含む面に面接触する第２の面と、前記外周側中央係止突起に接触する平坦な第３の面と、前記一端部近傍の前記内周側係止突起に接触する平坦な第４の面とを具備し、
前記外周側中央係止突起と前記他端部近傍の前記内周側係止突起との間に固定される磁石は、前記外周側磁石収容孔の前記第１の縁を含む面に面接触する第５の面と、前記外周側磁石収容孔の前記第２の縁を含む面に面接触する第６の面と、前記外周側中央係止突起に接触する平坦な第７の面と、前記他端部近傍の前記内周側係止突起に接触する平坦な第８の面とを具備する
ことを特徴とする請求項１に記載の回転電機。
【請求項３】
前記回転子鉄心は、前記内周側磁石収容孔に対して前記第３の縁の延びる方向に並ぶ、磁石を収容可能な側方磁石収容孔が少なくとも１つ形成される
ことを特徴とする請求項１または２に記載の回転電機。
【請求項４】
前記回転子鉄心は、前記内周側磁石収容孔に対して前記第３の縁の延びる方向両側に前記側方磁石収容が１つずつ形成され、
前記回転中心に対して垂直な前記回転子鉄心の断面において、前記両側方磁石収容孔は、前記第３の縁の延長方向に延びる第５の縁と、前記第３の縁の延長方向に延びるとともに前記第５の縁よりも前記回転中心側に位置する第６の縁とを具備し、
前記両側方磁石収容孔に収容される磁石は、前記回転中心に垂直な断面において、前記第５の縁に対向する第７の縁と、前記第６の縁に対向する第８の縁とが互いに平行な直線に形成され、
前記内周側磁石収容孔に収容される磁石は、前記回転中心に垂直な断面が、前記回転中心と前記外周側中央突起とを結ぶ直線に関して線対称な形状に形成される
ことを特徴とする請求項３に記載の回転電機。
【請求項５】
前記側方磁石収容孔に収容される磁石は、前記回転中心に対して垂直な断面が台形状に形成される
ことを特徴とする請求項４に記載の回転電機。
【請求項６】
前記端側磁石収容孔に収容される磁石は、前記回転中心に対して垂直な断面が矩形状に形成される
ことを特徴とする請求項５に記載の回転電機。
【請求項７】
前記側方磁石収容孔に収容される磁石の前記回転中心に対して垂直な断面における前記第５の縁に垂直な方向に沿う厚みは、前記内周側磁石収容孔に収容される磁石の前記回転中心に対して垂直な断面における前記第３の縁が延びる方向に垂直な方向に沿う厚みよりも、小さい
ことを特徴とする請求項４〜６のうちのいずれか１項に記載の回転電機。
【発明の詳細な説明】
【技術分野】
【０００１】
本発明の実施形態は、回転子に永久磁石が埋め込まれた永久磁石型の回転電機に関する。
【背景技術】
【０００２】
近年、電気自動車、ハイブリット自動車向けのような車載用の回転電機では、排出ガスの抑制、燃費向上のため、高効率化を強く求められている。それに伴い、永久磁石を使用した回転電機の小型、高出力化が進められている。
【０００３】
車載用の回転電機は、限られた搭載スペースの中で高トルク、高出力化が要求される。そのため、例えば希土類（ＮｄＦｅＢ）磁石のような高磁気エネルギー積の永久磁石をＶ字状に配置し、且つ永久磁石の外周側に空洞（磁極間空隙部）を配置した、永久磁石式リラクタンス型の回転電機が提案されている。この回転電機によれば、リラクタンストルクが増加し、高トルクを得ることで高出力、且つ可変速運転が可能となる。
【０００４】
一方で、車載用の回転電機として用いられる永久磁石回型転電機では、磁力が強く、高エネルギー積の希土類磁石（ＮｄＦｅＢ）が多く用いられている。この希土類磁石は、小さい体積でより高いトルクを発生することができる。しかしながら、希土類金属は生産地が偏在し、資源量も乏しいことから、材料としての入手リスクと、将来の資源枯渇が問題となっている。
【０００５】
そのため、資源量が豊富で、安価なフェライト磁石を用いた回転電機が検討されている。しかし、フェライト磁石は、磁力が希土類磁石に比べて１／３程度と低い。そこで、回転子に多層構造のスリットを設け、そのスリットに永久磁石を配置することにより、リラクタンストルク活用し、永久磁石による磁石トルクと合わせることで、発生トルクを高める永久磁石式リラクタンス型回転電機が提案されている。
【０００６】
また、車載用の回転電機では、小型化を図るために高速回転化した場合、回転子鉄心の遠心力による応力が大きくなり、問題となる。そこで、回転子鉄心に埋め込まれている永久磁石を突起により保持することで、永久磁石の回転遠心力を軽減し、回転子鉄心内に発生する応力を低減する永久磁石型の回転電機が提案されている。
【０００７】
上述したフェライト磁石を用いた永久磁石式リラクタンス型回転電機に、永久磁石用の保持突起を設けることにより、磁力の低いフェライト磁石を用いつつ、高速回転が可能な永久磁石式リラクタンス型の回転電機が得られる。
【先行技術文献】
【特許文献】
【０００８】
【特許文献１】特開平１１−２７９１３号公報
【特許文献２】特開２００２−１９９６７５号公報
【特許文献３】特開２０１１−８３０６６号公報
【特許文献４】特開２００１−３３９９１９号公報
【特許文献５】特願２０１２−２３２１２５
【発明の概要】
【発明が解決しようとする課題】
【０００９】
しかしながら、永久磁石式リラクタンス型回転電機において、外周側上層磁石は、回転遠心力による変形により、磁石保持突起で十分に保持することが困難となる。また、回転子鉄心の埋め込み孔と磁石との片当たりが発生し、磁石の割れ、欠けが生じ、更に、モータ特性の低下、ロータ鉄心応力の増加、回転アンバランスの増加により、ロータ破損が生じる可能性がある。
【００１０】
この発明は以上の点に鑑みなされたもので、その課題は、永久磁石を確実に保持して永久磁石の移動、破損、及び回転子の破壊を回避することができ、高速回転が可能で、且つ信頼性の高い永久磁石型の回転電機を提供することにある。
【課題を解決するための手段】
【００１１】
実施形態によれば、回転電機は、固定子鉄心及びこの固定子鉄心に取り付けられた電機子巻線を具備する固定子と、前記固定子に対して回転自在に設けられる回転子鉄心を具備する回転子とを備える。前記回転子鉄心は、磁石を収容可能な内側磁石収容孔と、前記内側磁石収容孔よりも前記回転子鉄心の半径方向外側に磁石を収容可能な外側磁石収容孔が形成される。前記回転子鉄心の回転中心に対して垂直な前記回転子鉄心の断面における、前記外側磁石収容孔を規定する前記回転中心側の第１の縁、前記第１の縁よりも前記半径方向外側に位置する第２の縁のそれぞれは、前記前記回転中心側に凸となる曲線に形成される。前記回転中心に対して垂直な前記回転子鉄心の断面における、前記内側磁石収容孔を規定する前記回転中心側の第３の縁、前記第３の縁よりも前記半径方向外側に位置する第４の縁のそれぞれは、前記回転中心側に凸となる曲線に形成される。前記第２の縁において前記回転中心側に最も凸となる部分に、磁石に接触することによって磁石の位置を規定する、前記第１の縁に向かって突出する外周側中央係止突起が形成される。前記第１の縁の両端部近傍のそれぞれに、磁石に接触することによって磁石の位置を規定する、前記第２の縁に向かって突出する内周側係止突起が形成される。前記回転中心に垂直な磁石の断面が、前記回転中心と前記外周側中央係止突起とを結ぶ直線に関して線対称となるように、前記外周側中央係止突起と一端部近傍の前記内周側係止突起との間に磁石を固定可能であり、前記外周側中央係止突起と他端部近傍の前記内周側係止突起との間に磁石を固定可能である。
【図面の簡単な説明】
【００１２】
【図１】図１は、第１の実施形態に係る永久磁石型の回転電機を示す断面図。
【図２】図２は、前記回転電機の回転子の一部を拡大して示す断面図。
【図３】図３は、内周側中央永久磁石の幅と端側永久磁石の幅との比（ブリッジ位置）と、モータ特性（トルク）との関係を示す図。
【図４】図４は、第２の実施形態に係る永久磁石型の回転電機の回転子の一部を拡大して示す断面図。
【発明を実施するための形態】
【００１３】
以下に、図面を参照しながら、種々の実施形態について説明する。なお、実施形態を通して共通の構成には同一の符号を付すものとし、重複する説明は省略する。また、各図は実施形態とその理解を促すための模式図であり、その形状や寸法、比などは実際の装置と異なる個所があるが、これらは以下の説明と公知の技術を参酌して適宜、設計変更することができる。
【００１４】
（第１の実施形態）  
図１は、第１の実施形態に係る永久磁石式リラクタンス型の回転電機１０の固定子および回転子の横断面図、図２は、回転子の一部を拡大して示す断面図である。
【００１５】
本実施形態では、８極、４８スロットの永久磁石式リラクタンス型の回転電機について説明するが、回転電機の極数、及びスロット数は適宜増減可能である。図１に示すように、回転電機１０は、例えば、インナーロータ型の回転電機として構成され、図示しない固定枠に支持された環状の、ここでは、円筒形状の固定子１２と、固定子の内側に回転自在にかつ固定子と同軸的に支持された回転子１４と、を備えている。
【００１６】
固定子１２は、円筒状の固定子鉄心１６と固定子鉄心１６に埋め込まれた電機子巻線１８とを備えている。固定子鉄心１６は、磁性材、例えば、円環状の電磁鋼板を多数枚、同芯状に積層して構成されている。固定子鉄心１６の内周部には、それぞれ軸方向に延びた複数のスロット２０が形成され、これにより、固定子鉄心１６の内周部は、回転子１４に面する多数の固定子ティース２１を構成している。スロット数は４８スロットで構成されている。そして、これらのスロット２０に電機子巻線１８が埋め込まれている。
【００１７】
回転子１４は、両端が図示しない軸受により回転自在に支持された回転軸２２と、この回転軸の軸方向ほぼ中央部に固定された円筒形状の回転子鉄心２４と、回転子鉄心内に埋め込まれた複数の永久磁石と、を有し、固定子１２の内側に僅かな隙間（エアギャップ）を置いて同軸的に配置されている。
【００１８】
回転子鉄心２４は、磁性材、例えば、円環状の電磁鋼板を多数枚、同芯状に積層した積層体として構成されている。回転子鉄心２４は、それぞれ回転子鉄心の半径方向あるいは放射方向に延びる磁化容易軸（磁束の通りやすい部分）（ｄ軸）、および磁化困難軸（磁束が通り難い部分）（ｑ軸）を有し、これらのｄ軸およびｑ軸は、回転子鉄心２４の円周方向に交互に、かつ、所定の位相で形成されている。
【００１９】
回転子鉄心２４の外周部に複数の凹所３０が形成されている。凹所３０は、それぞれ回転子鉄心２４を軸方向に貫通して延びているとともに、それぞれｄ軸上に位置している。回転子鉄心２４は、外周面に磁気的な凹凸を形成するために、複数の磁石埋め込み孔、および、これらの磁石埋め込み孔に埋め込まれた複数の永久磁石を備えている。永久磁石としては、例えば、フェライト磁石を用いる。
【００２０】
図１および図２に示すように、複数の磁石埋め込み孔は、回転子鉄心２４の各ｄ軸上において、回転子鉄心の半径方向に複数層、例えば、２層、並んで形成されている。回転子鉄心２４の外周側の磁石埋め込み孔（外周側磁石収容孔）３２は、横断面が円弧状に形成され、回転子鉄心２４を軸方向に貫通して延びている。
【００２１】
ここで言う回転子鉄心２４の軸とは、回転子鉄心２４の回転中心Ｃである。言い換えると、回転子鉄心２４の中心軸に垂直な断面において、外周側の磁石埋め込み孔３２を規定する、回転中心Ｃ側の第１の縁５１は、回転中心Ｃ側に凸となる曲線に形成されている。また、回転子鉄心２４の回転中心Ｃに対して垂直な断面において、外周側の磁石埋め込み孔３２を規定する、第１の縁５１よりも回転子鉄心２４の半径方向外側に位置する第２の縁５２は、回転中心Ｃ側に凸となる曲線に形成されている。
【００２２】
同様に、回転子鉄心２４の内周側、つまり、回転子鉄心の中心軸側、の磁石埋め込み孔３４は、横断面がほぼ円弧状に形成され、回転子鉄心２４を軸方向に貫通して延びている。
【００２３】
外周側および内周側の２層の磁石埋め込み孔３２、３４は、回転子鉄心２４のｄ軸（磁極中心軸）上に中心を持ち、かつ、回転子鉄心の中心側に凸となる円弧状に形成されている。各磁石埋め込み孔３２、３４の両端部は、回転子鉄心２４の外周面の近傍まで延びている。
【００２４】
外周側の磁石埋め込み孔３２は、回転子鉄心２４の外周側に位置する外周面３２ａと、この外周面と一定の間隔をおいて対向する内周面３２ｂと、により規定されている。外周面３２ａは、第１の縁５１を含む面である。内周面３２ｂは、第２の縁５２を含む面である。
【００２５】
本実施形態において、外周面３２ａおよび内周面３２ｂは同芯の円弧状に形成されている。また、回転子鉄心２４は、外周側の磁石埋め込み孔３２の磁極中心軸ｄから離れた円弧方向両端の近傍において、内周面３２ｂから埋め込み孔３２内に突出した２つの内周側係止突起(係止構造部)３６ａと、磁石埋め込み孔３２の円弧方向中心、すなわち、磁極中心軸ｄ上において、外周面３２ａから埋め込み孔３２内に突出した１つの外周側中央係止突起(中央係止構造部)３６ｂと、を一体に有している。
【００２６】
言い換えると、回転中心Ｃに対して垂直な回転子鉄心２４の断面において、第１の縁５１の両端近傍には、内周側係止突起３６ａが形成されている。外周側中央係止突起３６ｂは、第２の縁５２の最も回転中心Ｃ側に凸となる部分に形成されており、第２の縁５２において回転中心Ｃ側に最も凸となる部分と回転中心とを結ぶ直線が、磁極中心軸ｄとが重なる。
【００２７】
一方、内周側の磁石埋め込み３４は、複数のブリッジにより複数の埋め込み孔に分割されている。実施形態において、回転子鉄心２４は、内周側の磁石埋め込み孔３４の外周部と内周部とをそれぞれ接続する複数、例えば２本のブリッジ３８を有している。２本のブリッジ３８は、磁極中心軸ｄの両側に、かつ、磁極中心軸ｄから等間隔離間して、設けられている。これにより、内周側の磁石埋め込み孔３４は、磁極中心軸ｄ上に位置する円弧状の中央埋め込み孔（内周側磁石収容孔）３４ａと、この中央埋め込み孔の両側にそれぞれ位置する２つの端側埋め込み孔（側方磁石収容孔）３４ｂと、に分割されている。
【００２８】
より具体的には、回転子鉄心２４の回転中心Ｃに対して垂直な断面において、中央埋め込み孔３４ａを規定する、回転中心Ｃ側の第３の縁５３は、回転中心Ｃ側に凸となる曲線に形成されている。また、回転子鉄心２４の中心軸に垂直な断面において、中央埋め込み孔３４ａを規定する、第３の縁５３よりも回転子鉄心２４の半径方向外側に位置する第４の縁５４は、回転中心Ｃ側に凸となる曲線に形成されている。
【００２９】
回転子鉄心２４の回転中心Ｃに対して垂直な断面において、端側埋め込み孔３４ｂを規定する第５の縁５５は、第３の縁５３の延長方向に沿って直線状に形成されており、第５の縁５５よりも回転中心Ｃ側に位置する第６の縁５６は、第５の縁５５に平行な直線状に形成されている。言い換えると、端側埋め込み孔３４ｂを規定する回転中心Ｃ側の面９１は平面であり、平面９１に対向する面９２は、面９１に対して平行な平面である。面９２は、第５の縁５５を含み、面９１は、第６の縁５６を含む。
【００３０】
回転子鉄心２４は、中央埋め込み孔３４ａの磁極中心軸ｄから離れた円弧方向両端部において、内周面から中央埋め込み孔３４ａ内に突出した２つの係止突起(係止構造部)４２ａと、各端側埋め込み孔３４ｂの外周側端部において、内周面から端側埋め込み孔内に突出した１つの外周側係止突起(係止構造部)４２ｂと、を一体に有している。
【００３１】
図１および図２に示すように、複数の永久磁石は、外周側の磁石埋め込み孔３２に埋め込まれた複数の外周側の永久磁石と、内周側の磁石埋め込み孔３４に埋め込まれた複数の内周側の永久磁石と、を有している。各永久磁石は、回転子鉄心２４の軸方向長さとほぼ等しい長さを有している。そして、各永久磁石は回転子鉄心２４の回転中心Ｃに沿うほぼ全長に亘って埋め込まれている。これにより、複数の永久磁石は、回転子鉄心２４の各ｄ軸上において、回転子鉄心の半径方向に複数層、例えば、２層、並んで配置されている。
【００３２】
より詳細には、外周側の磁石埋め込み孔３２内に埋め込まれた外周側の永久磁石は、外周側中央係止突起３６ｂの両側に埋設された２つの分割永久磁石２６ａ、２６ｂを含んでいる。
【００３３】
各分割永久磁石２６ａ、２６ｂは、各々左右線対称であり、各々円弧状の断面形状を有し、磁石埋め込み孔３２内に嵌め込まれ、接着剤等により回転子鉄心２４に固定されている。また、各分割永久磁石２６ａ、２６ｂは、円弧方向両端部が外周側中央係止突起３６ｂと内周側係止突起３６ａとに係合し、外周側の磁石埋め込み孔３２に保持されている。２つの分割永久磁石２６ａ、２６ｂは、互いに同一の断面形状を有している。
【００３４】
すなわち、分割永久磁石２６ａは、外周側の磁石埋め込み孔３２の外周面３２ａに面接触する外周面（第２の面）６１と、外周側の磁石埋め込み孔３２の内周面３２ｂに面接触する内周面（第１の面）６２と、平坦な両端面（第３，４の面）６３，６４と、を有し、端面６３が外周側中央係止突起３６ｂに当接し、端面６４が一端部近傍の内周側係止突起３６ａにそれぞれ当接し、円弧方向の位置が決められている。
【００３５】
同様に、分割永久磁石２６ｂは、外周側の磁石埋め込み孔３２の外周面３２ａに面接触する外周面（第２の面）６５と、外周側の磁石埋め込み孔３２の内周面３２ｂに面接触する内周面（第１の面）６６と、平坦な両端面（第３，４の面）６７，６８と、を有し、端面６７が外周側中央係止突起３６ｂに当接し、端面６８が他端部近傍の内周側係止突起３６ａにそれぞれ当接し、円弧方向の位置が決められている。
【００３６】
分割永久磁石２６ａ，２６ｂは、回転中心Ｃに対して垂直な断面が、回転中心Ｃと外周側中央係止突起３６ｂとを結ぶ直線に関して線対称となるように、固定されている。
【００３７】
複数の内周側の永久磁石は、２本のブリッジ３８間に位置する内周側の中央磁石埋め込み孔３４ａに埋設された左右線対称形状、例えば、断面が円弧形状、の中央永久磁石２８ａと、中央磁石埋め込み孔３４ａの両側に位置する２つの端側磁石埋め込み孔３４ｂにそれぞれ埋設された左右線対称形状、例えば、断面が四辺形の２つの端側永久磁石２８ｂと、を含んでいる。これらの永久磁石２８ａ、２８ｂは、磁石埋め込み孔３４内に嵌め込まれ、接着剤等により回転子鉄心２４に固定されている。各内周側永久磁石２８ａ、２８ｂは、左右線対称の断面形状を有している。また、中央永久磁石２８ａは、その円弧方向の両端面がそれぞれ係止突起４２ａに当接し、円弧方向の位置が決められている。各端側永久磁石２８ｂは、その外周側の端面が外周側係止突起４２ｂに当接し、円周方向の位置が決められている。
【００３８】
言い換えると、中央埋め込み孔３４ａに収容される中央永久磁石２８ａは、中央埋め込み孔３４ａの面７１に面接触する８１と、中央埋め込み孔３４ａの面７２に面接触する８２とを有する。面７１は、第３の縁５３を含む面である。面７２は、面７１に対して回転子鉄心２４の半径方向外側に位置する面である。面７２は、第４の縁５４を含む面である。面７１，８１が互いに接着剤などで固定されている。面７２，８２が、互いに接着剤などで固定されている。
【００３９】
端側永久磁石２８ｂは、回転中心Ｃに対して垂直な断面が、矩形状に形成されている。具体的には、端側永久磁石２８ｂは、回転中心Ｃに対して垂直な断面において、端側埋め込み孔３４ｂの第５の縁５５に対向する第７の縁５７と、端側埋め込み孔３４ｂの第６の縁５６に対向する第８の縁５８とを有している。第７の縁５７と第８の縁５８とは、互いに平行な直線形状に形成されている。端側永久磁石２８ｂの第７の縁５７を含む面９３と、端側永久磁石２８ｂの第８の縁５８を含む面９４とは、互いに平行な平面である。面９１，９３は、互いに面接触する。面９２，９４は、互いに面接触する。
【００４０】
回転中心Ｃに対して垂直な中央永久磁石２８ａの断面において、第３の縁５３に垂直な方向に沿う厚みＬ１は、回転中心Ｃに対して垂直な端側永久磁石２８ｂの断面において、第５の縁５５に垂直な方向に沿う厚みＬ２よりも大きい。
【００４１】
これにより、外周側および内周側の２層の永久磁石は、回転子鉄心２４のｄ軸（磁極中心軸）上に中心を持ち、かつ、回転子鉄心の中心側に凸となる円弧状に配置されている。
【００４２】
外周側および内周側の永久磁石は、その全体の磁化方向が磁極中心軸ｄ側を向くように着磁されている。複数の永久磁石を上記のように配置することにより、回転子鉄心２４の外周部において各ｄ軸上の領域は磁極部４０を形成し、各ｑ軸上の領域は磁極間部４２を形成している。そして、回転子１４は、回転子鉄心２４に装着された電機子巻線１８に電流を流すことにより回転磁界が発生し、この回転磁界と永久磁石からの発生磁界との相互作用により、回転子１４が回転軸２２を中心に回転する。
【００４３】
（作用）  
次に、上記のように構成された回転電機１０の作用について説明する。回転電機１０が運転される際、回転子１４の回転により、永久磁石が径方向に飛び出そうとする遠心力が永久磁石に作用する。この際、外周側の永久磁石は、２つの分割永久磁石２６ａ、２６ｂで構成され、各分割永久磁石２６ａ，２６ｂは、左右線対称、且つ円弧形状とし、傾けて配置している。言い換えると、各分割永久磁石２６ａ，２６ｂは、円弧形状であることによって、回転子１４の半径方向に対して傾く姿勢で、回転子鉄心２４に固定されている。
【００４４】
分割永久磁石２６ａ、２６ｂの重心位置は磁極中心軸ｄ上ではなく、磁極間側に存在する。言い換えると、分割永久磁石２６ａ，２６ｂの重心位置は、磁極中心軸ｄよりも磁極間部４２側にシフトした位置にある。また、各分割永久磁石２６ａ、２６ｂは、両端面が中央係止突起３６ｂおよび１つの内周側係止突起３６ａにそれぞれ当接し、円弧方向の位置が決められている。
【００４５】
これにより、回転により回転子鉄心２４が遠心力により応力を受けて、歪んだ場合でも、係止突起３６ａ、３６ｂにより、分割永久磁石２６ａ、２６ｂを確実に保持し、磁石の移動、破損等が防止される。外周面中央部に中央係止突起３６ｂを設けているため、２つの分割永久磁石２６ａ、２６ｂ同士が接触することなく、永久磁石のズレなどの移動を防ぐことができる。また、磁極中央部にブリッジを配置する必要がなくなり、漏れ磁束が抑制される。
【００４６】
また、内周面３２ｂと外周面３２ａとに沿って外側に飛び出そうとする力を受ける突起を、内周側係止突起３６ａとして第１の縁５１に形成することによって、当該外側に飛び出そうとする力に対する突起の耐荷重性を高めることができる。
【００４７】
この点について、具体的に説明する。各分割永久磁石２６ａ，２６ｂに作用する遠心力によって、各分割永久磁石２６ａ，２６ｂは、磁石埋め込み孔３２の内周面３２ｂと外周面３２ａとに沿って、外側に飛び出そうとする。
【００４８】
回転中心Ｃに対して垂直な断面において、第２の縁５２と回転子鉄心２４の外周面との間の厚みは、比較的小さくなるが、第１の縁５１の周囲には、十分な厚みを確保することができる。このため、第１の縁５１に内周側係止突起３６ａが形成されることによって、内周側係止突起３６ａの周囲には、内周側係止突起３６ａを支持する厚みが十分に確保されるので、内周側係止突起３６ａが耐えられる荷重、つまり耐荷重性を高めることができる。
【００４９】
分割永久磁石２６ａは磁石埋め込み穴３２の内周面に沿って回転中心Ｃから遠ざかろうとするが、内周側係止突起３６ａによってその運動が抑え込まれることにより、内周側係止突起３６ａとの接点を回転中心として、この接点とは反対側の端面を回転中心Ｃから遠ざけようとする回転モーメントが発生する。この回転モーメントにより、隣り合う各分割永久磁石の向かい合う端面が接触する方向に運動しようとする。
【００５０】
分割永久磁石２６ａ，２６ｂが互いに接触する方向に移動することを防止するための突起である突起を、外周側中央係止突起３６ｂとして第２の縁５２に形成することによって、分割永久磁石２６ａ，２６が互いに接触することを確実に防止しつつ、分割永久磁石２６ａ，２６ｂを大きくすることができる。
【００５１】
この点について、具体的に説明する。分割永久磁石２６ａ，２６ｂにおいて互いに対向する部分である第３の面６３，６７は、遠心力によって、互いに近づく方向に歪む傾向にある。さらに、第３の面６３，６７において、回転子１４の半径方向外側の部分は、内側の部分に対して、より大きな遠心力が作用する。このため、第３の面６３，６７において、回転子１４の半径方向外側の部分は、内側の部分に対して、より大きく歪む傾向にある。
【００５２】
しかしながら、第２の縁５２に外周側中央係止突起３６ｂを形成することによって、より大きく歪む傾向にある、第３の面６３，６７において回転子１４の半径方向外側の部分を受けることによって、つまり接触すること受けることによって、分割永久磁石２６ａ，２６ｂが互いに近づく方向に歪むことを防止することができる。
【００５３】
このため、第１の縁５１に、分割永久磁石２６ａ，２６ｂが互いに接触することを防止する突起を形成する必要がないため、分割永久磁石２６ａ，２６ｂにおいて回転子１４の半径向内側の部分を、互いに接近する形状に形成できる。つまり、分割永久磁石２６ａ，２６ｂを大きくすることができる。
【００５４】
内周側の永久磁石は、ブリッジ３８間に位置する中央永久磁石２８ａと、中央永久磁石の両側に位置する２つ端側永久磁石２８ｂと、に分割され、左右線対称、且つアーチ形状磁石と平板形状の磁石とを組合せて配置できる。また、ブリッジ３８を複数本とすることにより、左右線対称の永久磁石を適用することが可能となり、従来と同等な回転子鉄心の磁路形状とすることができる。これにより、リラクタンストルクを活用した、高トルク、高出力特性を確保することができる。
【００５５】
内周側に配置される磁石を複数に分けることによって、磁石の重心を磁極軸上ではなく、磁極軸の脇に磁極軸に関して線対称に配置することができる。また、磁石１個あたりの質量を半減させ、遠心力によって発生する力を低減させることができる。これにより、回転子鉄心２４において中央永久磁石２８ａを受ける係止突起４２ａに作用する力を小さくすることができる。同様に、回転子鉄心２４において端側永久磁石２８ｂを受ける係止突起４２ｂに作用する力を小さくすることができる。このため、端側永久磁石２８ｂの回転子鉄心２４に対する保持力を高めることができる。
【００５６】
端側永久磁石２８ｂは、中央永久磁石２８ａに対して、大きな遠心力が作用する。しかしながら、端側永久磁石２８ｂの厚みＬ２を中央永久磁石２８ａの厚みＬ１よりも小さくすることによって、端側永久磁石２８ｂの重さを小さくできるので、端側永久磁石２８ｂに作用する、遠心力による影響を小さく抑えることができる。
【００５７】
内周側の磁石埋め込み孔３４に設けるブリッジを複数本、例えば、２本とすることにより、磁極中央部における永久磁石の厚みを確保しつつ、モータ特性（トルク）を最大とするブリッジ幅およびブリッジ位置を設定することが可能となる。ブリッジが１本の場合、ブリッジの幅を狭くすることができるが、永久磁石の厚みが大きい磁極中央部にブリッジを配置する必要があるため、永久磁石量が少なくなってしまう。すなわち、モータのトルクが小さくなる。これに対して、ブリッジを２本設ける場合、磁極中心軸の両側にブリッジを配置することができ、２本のブリッジ間、すなわち、磁極中央部に永久磁石を配置することができる。これにより、磁極中央部における永久磁石の厚みを確保し、磁石量を増加することが可能となる。従って、ブリッジ幅を適宜設定することにより、モータ特性（トルク）を最大とすることができる。
【００５８】
図３に示すように、中央永久磁石２８ａの円弧方向長さをＷｃ、各端側永久磁石２８ｂの長手方向長さをＷｓとした場合、図３は、磁石長さの比（Ｗｓ／Ｗｃ）、つまり、２本のブリッジ３８の配設位置と、モータ特性（トルク）との関係を示している。図３に示すように、中央永久磁石の長さＷｃと端側永久磁石の長さＷｓとの比（Ｗｓ／Ｗｃ）が変化すると、モータ特性が変化することが分かる。中央永久磁石２８ａの長さＷｃを大きくすることで、すなわち、２本のブリッジ３８間の間隔を大きくすることで、磁石面積（磁石量）が拡大し、トルク特性は向上する。しかし、長さ比（Ｗｓ／Ｗｃ）がある点（１．７０）を越えると、遠心力により永久磁石に作用する応力が大きくなるため、ブリッジ３８の幅を広げ強度を上げる必要が出てくる。ブリッジ幅の増大により、漏れ磁束が増加するため、モータのトルク特性は減少する。本実施形態では、永久磁石長さの比（Ｗｓ／Ｗｃ）が１．７０付近となるように、２本のブリッジ３８を配置している。そのため、各ブリッジ３８の幅を広げる必要がなく、最適なモータ特性（トルク）が得られる。
【００５９】
ブリッジ幅については、製造的に最小幅として鉄心（電磁鋼板）板厚程度が限界であり、許容応力以内とするために、磁石量の増加に伴って、ブリッジ幅を広げる必要がある。従って、中央永久磁石長さと端側永久磁石長さとの関係、すなわち、２本のブリッジ間の間隔、ブリッジの位置、最適に保ちつつ、ブリッジ幅の選定を行うことが望ましい。ブリッジ幅を狭めることにより、漏れ磁束を低減でき、トルク特性を向上することができる。一方、ブリッジ幅を狭めていくと、回転子鉄心に作用する応力（ブリッジ部応力）が増大し、ブリッジの許容応力を超えてしまう場合がある。従って、許容応力以下とするブリッジ幅を設定することが望ましい。以上のことから、ブリッジの配設位置、ブリッジ幅を適宜設定することにより、モータ特性（トルク）を最大とすることができる。
【００６０】
（効果）  
第１の実施形態によれば、回転により回転子鉄心および永久磁石が遠心力により応力を受けて、歪んだ場合でも、外周側中央係止突起および内周側係止突起により、分割永久磁石を確実に保持し、永久磁石角部の片当たり、曲げ応力発生による割れ、欠けなどの破損を防止し、また回転子鉄心内の応力を低減することが可能となる。これにより、高速回転が可能で、且つ信頼性の高い永久磁石式リラクタンス型の回転電機が得られる。
【００６１】
また、外周側中央係止突起により、外周側の分割永久磁石同士の接触、位置ズレを防止でき、これにより、中央にブリッジを配置する必要がなくなり、漏れ磁束を抑制することができる。このことから、トルクの減少を抑え、高トルク、高出力が可能となる。
【００６２】
内周側の永久磁石に左右線対称、且つアーチ形状の中央永久磁石を適用できることから、従来と同等な回転子鉄心の磁路形状となり、リラクタンストルクを活用した、高トルク、高出力特性を確保することができる。また、中央永久磁石の両側に配置する端側永久磁石を断面四辺形の平板形状とすることができ、磁石加工性の向上、製造コストの低減を図ることができる。
【００６３】
以上のことから、安価で磁力の弱いフェライト磁石を用いた場合でも、高トルク、高出力、且つ高速回転が可能となり、信頼性の高い低コストの回転電機を提供することができる。
【００６４】
次に、他の実施形態に係る回転電機について説明する。なお、以下に説明する他の実施形態において、前述した第１の実施形態と同一の部分には、同一の参照符号を付してその詳細な説明を省略し、第１の実施形態と異なる部分を中心に詳しく説明する。
【００６５】
（第２の実施形態）  
図４は、第２の実施形態に係る永久磁石式リラクタンス型の回転電機１０の回転子の一部を拡大して示す断面図である。
【００６６】
本実施形態では、内周側の永久磁石において、中央永久磁石２８ａの両側に設けられた端側永久磁石２８ｂは、その断面が非平行な２辺を有する台形状に形成されている。具体的には、台形形状の端側永久磁石２８ｂは、回転子１４の外周側に位置する部分の第５の縁５５に沿う部分の第５の縁５５の延びる方向に沿う厚みＬ３が、内周側の第６の縁５６に沿う部分の第６の縁５６の延びる方向に沿う厚みＬ４に対して薄くなるように構成されている。
【００６７】
なお、第２の実施形態において、回転電機の他の構成は、前述した第１の実施形態に係る回転電機と同一である。
【００６８】
台形形状の端側永久磁石２８ｂは、第１の実施形態における平板状（矩形状）の永久磁石に対し、回転子１４の内周側に位置する部分の厚みを大きくすることができるため、磁石断面積を大きくすることができ、磁石トルクを増加することができる。また、従来構造の磁路形状と同様に内周側に向かって磁路幅が大きくなる形状とすることが可能となり、リラクタンストルクを活用できる。
【００６９】
第２の実施形態によれば、端側永久磁石を非平行な２対の辺を有する台形形状とすることにより、永久磁石量を増加させ、磁石トルクを増加することができる。また、従来と同等な回転子鉄心の磁路形状となり、リラクタンストルクを活用した、高トルク、高出力特性を確保することができる。第２の実施形態においても、第１の実施形態と同様に、高速回転が可能で、且つ信頼性の高い永久磁石式リラクタンス型の回転電機を提供することできる。
【００７０】
なお、この発明は上記実施形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７１】
例えば、永久磁石型の回転電機は、インナーロータ型に限らず、アウターロータ型としてもよい。回転子の磁極数、寸法、形状等は、前述した実施形態に限定されることなく、設計に応じて種々変更可能である。また、回転子鉄心２４内における永久磁石２６の多層配置は、２層に限らず、３層以上としてもよい。
【００７２】
第１の実施形態において、外周側磁石収容孔に設けられた中央係止突起は、回転子鉄心の回転中心に対して垂直な断面において、外側収容孔を規定する回転中心側に位置する第１の縁よりも半径方向外側に位置する第２の縁に形成されている。しかしながら、例えば、内周側磁石収容孔に中央係止突起を設けてもよい。この場合、この中央係止突起は、回転鉄心の回転中心に対して垂直な断面において、内側磁石収容孔を規定する回転子鉄心の回転中心側の第３の縁よりも半径方向外側に位置する内周側磁石収容孔を規定する第４の縁に形成される。より具体的には、例えば、内周側の中央埋め込み孔３４ａに、分割永久磁石２６ａ，２６ｂのように、分割された磁石を収容する場合では、内周側磁埋め込み孔３４ａの第４の縁５４に、外周側中央係止突起３６ｂと同様の中央係止突起を設けてもよい。
【符号の説明】
【００７３】
１０…回転電機、１２…固定子、１４…回転子、１６…固定子鉄心、
１８…電機子巻線、２０…スロット、２２…回転軸、２４…回転子鉄心、
２６ａ、２６ｂ…分割永久磁石、２８ａ…中央永久磁石、２８ｂ…端側永久磁石、
３２…外周側磁石埋め込み孔、３２ａ…外周面、３２ｂ…内周面、
３４ａ…中央埋め込み孔、３４ｂ…端側埋め込み孔、４２ａ…係止突起、
４２ｂ…外周側係止突起
【図１】
2015006124.tif 000003
【図２】
2015006124.tif 000004
【図３】
2015006124.tif 000005
【図４】
2015006124.tif 000006